(57)【要約】【課題】　給紙トレイから用紙が間違って給紙されることなくす。【解決手段】　専用紙用の給紙トレイの印刷条件保持部に使用者ＩＤが登録され使用者制限が設定された後、印刷開始命令とカラー印刷を行わせるための印刷条件と専用紙用の給紙トレイを指定する給紙トレイ指定命令とが入力されると、専用紙用の給紙トレイが選択される（ステップＳｔ．３８）。そして、選択された専用紙用の給紙トレイの印刷条件保持部に保持された印刷条件可否属性情報が第三の情報読取部によって読み取られる（ステップＳｔ．３９）。Ｓｔ．３９において読み取られた印刷情報可否属性情報に基づいて使用者制限があるか否かを判断する（ステップＳｔ．４０）。この時、使用者ＩＤが登録されているので、使用者制限があると判断される。すると、使用者制限があることがパソコン２に報告され印刷動作が停止する（ステップＳｔ．４１）。【選択図】　　図５
2004074808.tif 000002
【特許請求の範囲】
【請求項１】
用紙が積載される複数の給紙トレイと、
　これらの給紙トレイ中の一つの前記給紙トレイから前記用紙を給紙する給紙部と、
　この給紙部によって給紙された前記用紙に画像を印刷する印刷部と、
　前記各給紙トレイに載置された用紙の使用を制限する利用制限の有無を指定する印刷条件可否属性情報を保持する属性情報保持部と、
　印刷動作開始命令が入力されたとき所望の前記用紙が積載された前記給紙トレイを選択する給紙トレイ選択手段と、
　この給紙トレイ選択手段によって選択された前記給紙トレイの前記属性情報保持部によって保持された前記印刷条件可否属性情報を読み取る属性情報読取手段と、
　この属性情報読取手段によって読み取られた前記印刷条件可否属性情報の前記利用制限が有るとき前記給紙トレイ選択手段による前記給紙トレイの選択を否認する給紙トレイ選択否認手段と、
　利用制限解除命令が入力されたとき前記給紙トレイ選択否認手段による前記利用制限を解除する利用制限解除手段と、
　を備えることを特徴とする画像形成装置。
【請求項２】
属性情報保持部は、給紙トレイ毎に設けられ印刷条件可否属性情報を記憶する記憶装置であることを特徴とする請求項１記載の画像形成装置。
【発明の詳細な説明】
【技術分野】
【０００１】
　本発明は、プリンタや複写機等の画像形成装置に関する。
【背景技術】
【０００２】
　画像形成装置としては、パソコン等の外部装置に接続されるプリンタや複写機がある。これらのプリンタや複写機には、複数の給紙トレイが装置本体にセットされているものがある。これらのプリンタや複写機では、印刷開始時に所望の給紙トレイを選択し、選択された給紙トレイから用紙を給紙し、給紙された用紙に画像を印刷する。
【０００３】
　このようなプリンタや複写機には、用紙の片面に画像を印刷する片面印刷機能と、用紙の両面に画像を印刷する両面印刷機能とを有するものがある。これらのプリンタや複写機では、両面印刷を行うための印刷条件が指定されると共に所望の用紙のサイズが指定されると、指定されたサイズの用紙が積載された給紙トレイを選択し、選択された給紙トレイから用紙を給紙し、給紙された用紙の両面に画像を印刷する。
【０００４】
　ところで、前述したプリンタや複写機では、片面印刷を行う場合に用紙を有効に利用するため片面印刷済みの用紙（裏紙）が使用されることがある。裏紙を使用する場合にその都度裏紙が積載された給紙トレイを装置本体にセットしていたのでは手間がかかり面倒である。従って、裏紙を使用しない場合にも裏紙が積載された給紙トレイが装置本体にセットされていることがある。
【０００５】
　また、両面印刷動作を行う場合には、未使用の用紙が使用される。しかし、裏紙が積載された給紙トレイと未使用の用紙が積載された給紙トレイとが装置本体にセットされていることがある。このとき、裏紙のサイズと未使用の用紙のサイズとが一致していると、両面印刷を行うための印刷条件が指定されると共に所望の用紙にサイズが指定された場合に裏紙が積載された給紙トレイが選択されることがある。すると、選択された給紙トレイから裏紙が給紙され、裏紙の両面に画像が印刷されてしまう。このように、前述したプリンタや複写機では、所望の用紙が積載された給紙トレイが選択されないと、印刷動作に適さない用紙が給紙され、所望の印刷物が得られないことがある。
【０００６】
　それに対して、所望の用紙が積載された給紙トレイを選択することができるプリンタ又はカラー複写機が特許文献１〜５に記載されている。
【０００７】
　特許文献１〜３には、パソコンやワープロに接続されるプリンタが記載されている。このプリンタでは、用紙のサイズ及び種類に関する識別情報を示す識別情報部を給紙トレイに設け、所望の用紙のサイズ及び種類が指定された場合に指定された用紙のサイズ及び種類と識別情報部に示された用紙のサイズ及び種類とが一致するか否かを判断し、サイズ及び種類が一致する用紙が積載された給紙トレイを選択し、選択された給紙トレイから用紙を給紙する。
【０００８】
　特許文献４には、パソコンに接続されるプリンタが記載されている。このプリンタでは、用紙を透過した透過光量を透過型光センサによって検出し、その透過光量に対応する電圧信号のレベルと閾値とを比較し、電圧信号のレベルと閾値との大小関係から用紙の種類を判別し、判別された用紙の種類と所望の用紙の種類とが一致するか否かを判断し、種類が一致する用紙が積載された給紙トレイを選択し、その給紙トレイから用紙を給紙する。
【０００９】
　特許文献５にはカラー複写機が記載されている。このカラー複写機では、読み取った原稿の画像情報に基づいて原稿のサイズ、原稿の画像がカラーであるか否か、絵や写真等の画像領域が所定の値よりも大きいか否かを判断し、その結果に基づいて用紙を選択し、その用紙を給紙する。
【００１０】
【特許文献１】特開平３−６７８２４号公報
【特許文献２】特開平３−１２７０７７号公報
【特許文献３】特開平４−５９５１９号公報
【特許文献４】特開平７−１９６２０７号公報
【特許文献５】特開平７−１９９７３６号公報
【発明の開示】
【発明が解決しようとする課題】
【００１１】
　ところで、特許文献１〜４に記載されているプリンタの適用例として、両面印刷機能が備えられたプリンタを考えてみる。このようなプリンタでは、両面印刷を行うための印刷条件が指定されている場合にも、用紙のサイズ及び種類に基づいて裏紙が積載された給紙トレイが選択されると、選択された給紙トレイから裏紙が給紙され、裏紙の両面に画像が印刷されてしまう。このように、ある条件に基づいて給紙トレイを選択した場合にその給紙トレイに積載された用紙の用途に適さない印刷条件が指定されていたとしても選択された給紙トレイから用紙を給紙してしまう。従って、用紙の用途に適さない印刷動作によって用紙に画像が印刷されてしまうので、所望の印刷物が得られない。
【００１２】
　特許文献５に記載されているカラー複写機の適用例として、両面印刷機能が備えられたカラー複写機を考えてみる。このようなカラー複写機では、両面印刷を行うための印刷条件が指定されている場合にも、用紙のサイズに基づいて裏紙が積載された給紙トレイが選択されると、選択された給紙トレイから裏紙が給紙され、裏紙の両面に画像が印刷されてしまう。このように、ある条件に基づいて給紙トレイが選択された場合にその給紙トレイに積載された用紙の用途に適さない印刷条件が指定されていたとしても選択された給紙トレイから用紙が給紙されてしまう。従って、用紙の用途に適さない印刷動作によって用紙に画像が印刷されてしまうので、所望の印刷物が得られない。
【課題を解決するための手段】
【００１３】
　請求項１記載の発明では、用紙が積載される複数の給紙トレイと、これらの給紙トレイ中の一つの前記給紙トレイから前記用紙を給紙する給紙部と、この給紙部によって給紙された前記用紙に画像を印刷する印刷部と、前記各給紙トレイに載置された用紙の使用を制限する利用制限の有無を指定する印刷条件可否属性情報を保持する属性情報保持部と、印刷動作開始命令が入力されたとき所望の前記用紙が積載された前記給紙トレイを選択する給紙トレイ選択手段と、この給紙トレイ選択手段によって選択された前記給紙トレイの前記属性情報保持部によって保持された前記印刷条件可否属性情報を読み取る属性情報読取手段と、この属性情報読取手段によって読み取られた前記印刷条件可否属性情報の前記利用制限が有るとき前記給紙トレイ選択手段による前記給紙トレイの選択を否認する給紙トレイ選択否認手段と、利用制限解除命令が入力されたとき前記給紙トレイ選択否認手段による前記利用制限を解除する利用制限解除手段とを備える。従って、印刷動作開始命令が入力されたとき所望の用紙が積載された給紙トレイが給紙トレイ選択手段によって選択され、選択された給紙トレイの属性情報保持部によって保持された印刷条件可否属性情報が属性情報読取手段によって読み取られ、読み取られた印刷条件可否属性情報の利用制限が有るとき給紙トレイ選択手段による給紙トレイの選択が給紙トレイ選択否認手段によって否認される。そして、使用者が利用制限解除命令を入力することにより、給紙トレイ選択否認手段による利用制限が利用制限解除手段により解除され、給紙トレイ選択手段によって選択された給紙トレイから用紙が給紙され、給紙された用紙に画像が印刷される。これにより、給紙トレイが給紙トレイ選択手段によって選択されたとしても、選択された給紙トレイに積載された用紙の使用を制限する利用制限が有る場合には、選択された給紙トレイから用紙が給紙されることがなくなるので、給紙トレイから用紙が間違って給紙されることがなくなる。また、利用制限解除命令を入力することにより、利用制限が解除されるので、選択された給紙トレイから用紙が給紙され、用紙に画像が印刷される。従って、間違って使用されては困る特別な用紙の管理が容易になる。
【００１４】
　請求項２記載の発明では、請求項１記載の画像形成装置おける属性情報保持部が、給紙トレイ毎に設けられ印刷条件可否属性情報を記憶する記憶装置である。従って、印刷条件可否属性情報の書き換えが容易になる。
【発明の効果】
【００１５】
　請求項１記載の発明によれば、印刷動作開始命令が入力されたとき所望の用紙が積載された給紙トレイが給紙トレイ選択手段によって選択され、選択された給紙トレイの属性情報保持部によって保持された印刷条件可否属性情報が属性情報読取手段によって読み取られ、読み取られた印刷条件可否属性情報の利用制限が有るとき給紙トレイ選択手段による給紙トレイの選択が給紙トレイ選択否認手段によって否認される。そして、使用者が利用制限解除命令を入力することにより、給紙トレイ選択否認手段による利用制限が利用制限解除手段により解除され、給紙トレイ選択手段によって選択された給紙トレイから用紙が給紙され、給紙された用紙に画像が印刷される。これにより、給紙トレイが給紙トレイ選択手段によって選択されたとしても、選択された給紙トレイに積載された用紙の使用を制限する利用制限が有る場合には、選択された給紙トレイから用紙が給紙されることがなくなるので、給紙トレイから用紙が間違って給紙されることがなくなる。また、利用制限解除命令を入力することにより、利用制限が解除されるので、選択された給紙トレイから用紙が給紙され、用紙に画像が印刷される。従って、間違って使用されては困る特別な用紙の管理が容易になる。
【００１６】
　請求項２記載の発明によれば、属性情報保持部が印刷条件可否属性情報を記憶する記憶装置であるので、印刷条件可否属性情報の書換が容易になる。
【発明を実施するための最良の形態】
【００１７】
　本発明を実施するための最良の一形態について説明する。
【００１８】
　図６は、本実施の形態の画像形成装置を適用したＭＦＰ（Mlti-Fnction Pripheral）の概略図である。図７は、ＭＦＰの電気的構成を示すブロック図である。図８は、印刷条件可否属性情報の一例を示す説明図である。このＭＦＰ１は、パソコン２に接続されており、ネットワークを介して他の複数のパソコン（図示せず）に接続されており、電話回線３に接続されている。前記ＭＦＰ１の本体ケース４には、そのＭＦＰ１と前記パソコン２及び電話回線３とを接続するためのアプリ拡張ボックス５が取り付けられている。前記本体ケース４内には、用紙に画像を印刷する印刷部であるプロッタ部６が設けられている。このプロッタ部６の下部には、このプロッタ部６で片面に画像が印刷された用紙の表裏を反転させて再びプロッタ部６へ用紙を給紙する両面印刷用ユニット７が設けられている。この両面印刷用ユニット７の下部には、普通紙用の給紙トレイ８、裏紙用の給紙トレイ９及び専用紙用の給紙トレイ１０が上から順に配置されている。前記プロッタ部６の上部には、原稿の画像情報を読み取る画像読取部１１が設けられている。また、前記本体ケース４の側面には、前記プロッタ部６で画像が印刷された用紙が排紙される複数の排紙トレイ１２が設けられている。さらに、前記パソコン２には、ディスプレイ３０が備えられている。
【００１９】
　前記画像読取部１１には、自動原稿搬送部１３が設けられている。この自動原稿搬送部１３には、原稿給紙トレイ１４と原稿排紙トレイ１５とが形成されている。
【００２０】
　前記普通紙用の給紙トレイ８、前記裏紙用の給紙トレイ９及び専用紙用の給紙トレイ１０の近傍には、それらの給紙トレイ８，９，１０の中の何れか一つの給紙トレイ８，９，１０から用紙を給紙する給紙部（図示せず）が設けられている。
【００２１】
　前記普通紙用の給紙トレイ８、裏紙用の給紙トレイ９及び専用紙用の給紙トレイ１０のそれぞれには、印刷条件可否属性情報を保持する属性情報保持部であるの印刷条件保持部１６（図７参照）が設けられている。その印刷条件保持部１６は、ＥＥＰＲＯＭよりなる記憶装置である。この記憶装置は、前記印刷条件可否属性情報の書き換えを電気的に行えるように形成されており、前記印刷情報可否属性情報の保持に関しては電源供給を必要としないものである。前記印刷条件可否属性情報は、両面印刷、片面印刷、カラー印刷、モノクロ印刷、コピー使用、ＦＡＸ使用及びプリンタ使用が有効であるか無効であるかを指定する。例えば、図８に示すように有効であると指定された片面印刷、カラー印刷及びコピー使用は、用紙の用途に適した認可印刷条件である。無効であると指定された両面印刷、モノクロ印刷ＦＡＸ使用及びプリンタ使用は、用紙の用途に適さない否認印刷条件である。また、前記印刷条件可否属性情報は、用紙の使用を制限する利用制限である使用者制限の有無を指定する。このとき、使用者ＩＤを登録することにより使用者制限があると設定される。また、前記印刷条件保持部１６には、各給紙トレイ８，９，１０に積載された用紙のサイズや種類が記憶されている。
【００２２】
　前記普通紙用の給紙トレイ８には、Ａ４サイズの未使用の普通紙（図示せず）が積載されている。この普通紙用の給紙トレイ８の前記印刷条件保持部１６に記憶されている前記印刷条件可否属性情報は、両面印刷、片面印刷、モノクロ印刷、コピー使用、ＦＡＸ使用及びプリンタ使用を認可印刷条件として指定するように設定されている。また、前記印刷条件可否属性情報は、カラー印刷を否認印刷条件として指定するように設定されている。さらに、前記印刷条件可否属性情報は、使用者制限がないことを指定するように設定されている。
【００２３】
　前記裏紙用の給紙トレイ９には、Ａ４サイズの普通紙（図示せず）が積載されている。この普通紙は、片面印刷済みの裏紙である。前記裏紙用の給紙トレイ９の前記印刷条件保持部１６に記憶されている前記印刷条件可否属性情報は、片面印刷、モノクロ印刷、コピー使用及びプリンタ使用を認可印刷条件として指定するように設定されている。また、前記印刷条件可否属性情報は、両面印刷、カラー印刷及びＦＡＸ使用を否認印刷条件として指定するように設定されている。さらに、前記印刷条件可否属性情報は、使用者制限がないことを指定するように設定されている。
【００２４】
　前記専用紙用の給紙トレイ１０には、カラー印刷用の専用紙（図示せず）が積載されている。前記専用紙用の給紙トレイ１０の前記印刷条件保持部１６に記憶されている前記印刷条件可否属性情報は、片面印刷、カラー印刷、コピー使用及びプリンタ使用を認可印刷条件として指定するように設定されている。また、前記印刷条件可否属性情報は、両面印刷、モノクロ印刷及びＦＡＸ使用を否認印刷条件として指定するように設定されている。さらに、前記印刷条件可否属性情報は、使用者制限がないことを指定するように設定されている。
【００２５】
　次に、電気的構成を図７に基づいて説明する。前記本体ケース４内には、コピー動作とＦＡＸ動作とプリンタ動作とを選択的に行わせるアプリ動作調整部１７が設けられている。このアプリ動作調整部１７には、コピー動作を制御するコピー制御部１８と、ＦＡＸ動作を制御するＦＡＸ制御部１９と、プリンタ動作を制御するプリンタ制御部２０とが接続されている。これらのコピー制御部１８、ＦＡＸ制御部１９及びプリンタ制御部２０には、前記プロッタ部６を制御するプロッタ動作制御部２１と、印刷条件を決定する印刷条件決定部２２とが接続されている。前記印刷条件決定部２２には、前記各給紙トレイ８，９，１０の前記印刷条件保持部１６に記憶されている印刷条件可否属性情報を読み取る第一、第二及び第三の情報読取部２３，２４，２５が接続されている。前記第一、第二及び第三の情報読取部２３は、前記給紙トレイ８，９，１０が本体ケース４にセットされたとき第一、第二及び第三のアダプタ２６，２７，２８を介して前記印刷情報保持部１６と接続されるように形成されている。また、前記印刷条件保持部１６が保持する印刷条件可否属性情報を設定する属性情報設定部２９が設けられている。
【００２６】
　次に、動作を図１ないし図５のフローチャートに基づいて説明する。裏紙用の給紙トレイ９を指定する給紙トレイ指定命令が入力されたときの動作を図１に基づいて説明する。印刷開始を指定する印刷開始指定命令と裏紙用の給紙トレイ９を指定する給紙トレイ指定命令とがパソコン２からＭＦＰ１に入力されると、アプリ動作調停部１７によってプリンタ動作が選択される。そして、印刷開始指定命令と共に給紙トレイ指定命令がＭＦＰ１に入力されたと判断され（ステップＳｔ．１）、印刷開始指定命令及び給紙トレイ指定命令と共に印刷条件がＭＦＰ１に入力されたか否かが判断される（ステップＳｔ．２）。このＳｔ．２において印刷条件が入力されていないと判断されると、給紙トレイ指定命令によって指定された給紙トレイが選択される（ステップＳｔ．３）。この時、給紙トレイ指定命令によって裏紙用の給紙トレイ９が指定されているので、Ｓｔ．３において裏紙用の給紙トレイ９が選択される。こうして、給紙トレイ指定命令によって指定された給紙トレイ８，９，１０を選択する動作が給紙トレイ選択手段の機能として実行される。
【００２７】
　そして、裏紙用の給紙トレイ９の印刷条件保持部１６に記憶されている印刷条件可否属性情報が第二の情報読取部２４によって読み取られる（ステップＳｔ．４）。こうして、選択された給紙トレイ８，９，１０の印刷条件保持部１６に記憶されている印刷条件可否属性情報を情報読取部２３，２４，２５で読み取る動作が属性情報読取手段の機能として実行される。
【００２８】
　Ｓｔ．４において読み取られた印刷条件可否属性情報の認可印刷条件が印刷条件として設定される（ステップＳｔ．５）。この時、裏紙用の給紙トレイ９の印刷条件可否属性情報によって片面印刷、モノクロ印刷、コピー使用及びプリンタ使用が印刷条件として指定されているので、片面印刷及びモノクロ印刷が印刷条件として設定される。こうして、読み取られた印刷条件可否属性の認可印刷条件を印刷条件として設定する動作が印刷条件設定手段の機能として実行される。
【００２９】
　Ｓｔ．５において設定された印刷条件に基づいてプロッタ部６が制御され、Ｓｔ．３において選択された裏紙用の給紙トレイ９から裏紙が給紙され、片面印刷が行われて裏紙の白紙面に白黒の画像が印刷される（ステップＳｔ．６）。その後、所望の枚数の裏紙に画像が印刷されると印刷動作が終了する。こうして、設定された印刷条件に基づいてプロッタ部６を制御する動作が印刷制御手段の機能として実行される。
【００３０】
　このように、給紙トレイ指定命令が入力されたときその給紙トレイ指定命令によって指定された給紙トレイ８，９，１０を選択し、選択された給紙トレイ８，９，１０の印刷条件保持部１６に記憶されている印刷条件可否属性情報を読み取り、印刷条件可否属性情報の認可印刷条件を印刷条件として設定することにより、指定した給紙トレイ８，９，１０に積載された用紙の用途に適した印刷条件が設定され、用紙の用途に適した印刷動作が行われる。従って、用紙の用途に適した印刷動作によって用紙に画像が印刷されるので、所望の印刷物が得られる。また、用途に合わせて用紙が有効に使用される。さらに、印刷条件可否属性を保持する印刷条件保持部１６が記憶装置であるので、印刷条件可否属性情報の設定及び書換が容易になる。
【００３１】
　次に、裏紙用の給紙トレイ９を指定する給紙トレイ指定命令と両面印刷を行わせるための印刷条件とが入力されたときの動作を図１及び図２に基づいて説明する。Ｓｔ．１において印刷開始指定命令と共に給紙トレイ指定命令が入力されたと判断され、Ｓｔ．２において印刷開始指定命令と給紙トレイ指定命令と共に印刷条件が入力されたと判断されると、給紙トレイ指定命令によって指定された給紙トレイが選択される（ステップＳｔ．７）。この時、給紙トレイ指定命令によって裏紙用の給紙トレイ９が指定されているので、裏紙用の給紙トレイ９が選択される。選択された裏紙用の給紙トレイ９の印刷条件保持部１６に記憶されている印刷条件可否属性情報が第二の情報読取部２４によって読み取られる（ステップＳｔ．８）。
【００３２】
　その後、Ｓｔ．８において読み取られた印刷条件可否属性の否認印刷条件とパソコン２から入力された印刷条件とが比較され、否認印刷条件と印刷条件とが少なくとも一つ一致するか否かが判断される（ステップＳｔ．９）。この時、裏紙用の給紙トレイ９の印刷条件可否属性情報によって片面印刷、モノクロ印刷、コピー使用及びプリンタ使用が認可印刷条件として指定されており、裏紙用の給紙トレイ９の印刷条件可否属性情報によって両面印刷、カラー印刷及びＦＡＸ使用が否認印刷条件として指定されている。そして、印刷条件によって両面印刷が指定されているので、Ｓｔ．９において否認印刷条件と印刷条件とが一つ一致すると判断され、印刷条件が裏紙用の給紙トレイ９上の裏紙の用途に適さないことがパソコン２に報告され、印刷動作が停止する（ステップＳｔ．１０）。
【００３３】
　その後、印刷条件又は給紙トレイの指定が間違っていることがパソコン２のディスプレイ３０に表示される。そして、使用者が印刷条件及び給紙トレイの指定を変更せずに印刷動作の再開を指定すると、印刷条件が変更されていないと判断され（ステップＳｔ．１１）、給紙トレイの指定が変更されていないと判断され（ステップＳｔ．１２）、Ｓｔ．８において読み取られた印刷条件可否属性情報の認可印刷条件が印刷条件として設定される（ステップＳｔ．１３）。この時、裏紙用の給紙トレイ９の印刷条件可否属性情報によって片面印刷及びモノクロ印刷が認可印刷条件として設定されているので、片面印刷及びモノクロ印刷が印刷条件として設定される。そして、設定された印刷条件に基づいてプロッタ部６が制御され、Ｓｔ．７において選択された裏紙用の給紙トレイ９から裏紙が給紙され、片面印刷が行われて裏紙の白紙面に白黒の画像が印刷される（ステップＳｔ．１４）。その後、所望の枚数の裏紙に画像が印刷されると印刷動作が終了する。
【００３４】
　印刷条件又は給紙トレイの指定が間違っていることがパソコン２のディスプレイ３０に表示されたとき、片面印刷及びモノクロ印刷を行わせるための印刷条件を使用者が指定し印刷動作の再開を指定すると、Ｓｔ．１１において印刷条件が変更されたと判断され、Ｓｔ．９において否認印刷条件と印刷条件とが一つも一致しないと判断される。そして、認可印刷条件と印刷条件とが少なくとも一つ一致すると判断される。すると、Ｓｔ．１４において片面印刷が行われて裏紙の白紙面に白黒の画像が印刷される。その後、所望の枚数の裏紙に画像が印刷されると印刷動作が終了する。
【００３５】
　印刷条件又は給紙トレイの指定が間違っていることがパソコン２のディスプレイ３０に表示されたとき、普通紙用の給紙トレイを指定する給紙トレイ指定命令を使用者が入力し印刷動作の再開を指定すると、Ｓｔ．１１において印刷条件が変更されていないと判断され、Ｓｔ．１２において給紙トレイの指定が変更されたと判断され、Ｓｔ．７において普通紙用の給紙トレイ８が選択され、Ｓｔ．８において普通紙用の給紙トレイ８の印刷条件保持部１６に記憶されている印刷条件可否属性条件が第一の情報読取部２３によって読み取られる。そして、普通紙用の給紙トレイ８の印刷条件可否属性情報によってカラー印刷が否認印刷条件として指定されているので、Ｓｔ．９において否認印刷条件と印刷条件とが一つも一致しないと判断される。そして、認可印刷条件と印刷条件とが少なくとも一つ一致すると判断される。すると、Ｓｔ．１４によって両面印刷が行われて未使用の普通紙の両面に画像が印刷される。その後、所望の枚数の未使用の普通紙に画像が印刷されると印刷動作が終了する。
【００３６】
　このように、給紙トレイ指定命令と印刷条件とが入力されたときその給紙トレイ指定命令によって指定された給紙トレイ８，９，１０を選択し、選択された給紙トレイ８，９，１０の印刷条件保持部１６に記憶されている印刷条件可否属性情報を読み取り、印刷条件可否属性情報の否認印刷条件と印刷条件とを比較し、否認印刷条件と印刷条件とが少なくとも一つ一致しているとき印刷条件又は給紙トレイの指定が間違っていることを使用者に知らせ、印刷動作を停止することにより、指定した給紙トレイ８，９，１０に積載された用紙の用途に適さない印刷条件が入力された場合には、指定した給紙トレイ８，９，１０から用紙が給紙されることが防止される。そして、否認印刷条件と印刷条件とが一つも一致していないと共に認可印刷条件と印刷条件とが少なくとも一つ一致する場合には、選択
された給紙トレイ８，９，１０から用紙が給紙され、印刷条件に基づいてプロッタ部６が制御され、給紙された用紙に画像が印刷される。従って、用紙の用途に適さない印刷動作によって用紙に画像が印刷されることがなくなる。そして、用紙の用途に適した印刷動作によって用紙に画像が印刷されるので、所望の印刷物が得られる。また、用途に合わせて用紙が有効に使用される。
【００３７】
　次に、Ａ４サイズの用紙を指定する用紙サイズ指定命令とカラー印刷を行わせるための印刷条件とが入力されたときの動作を図１及び図３に基づいて説明する。Ｓｔ．１において給紙トレイ指定命令が入力されていないと判断され、印刷開始指定命令と共に用紙サイズ指定命令が入力されたと判断される（ステップＳｔ．１５）。そして、印刷開始指定命令と用紙サイズ指定命令と共に印刷条件が入力されたと判断される（ステップＳｔ．１６）と、用紙サイズ指定命令によって指定されたサイズの用紙が積載された給紙トレイが選択される（ステップＳｔ．１７）。この時、用紙サイズ指定命令によってＡ４サイズが指定されているので、まず他の給紙トレイよりも上方に配置されている普通紙用の給紙トレイ８が選択される。こうして、用紙サイズ指定命令によって指定されたサイズの用紙が積載された給紙トレイ８，９，１０を選択する動作が給紙トレイ選択手段の機能として実行される。
【００３８】
　Ｓｔ．１７において選択された普通紙用の給紙トレイ８の印刷条件保持部１６に記憶されている印刷条件可否属性情報が第一の情報読取部２３によって読み取られる（ステップＳｔ．１８）。こうして、選択された給紙トレイ８，９，１０の印刷条件保持部１６に保持された印刷条件可否属性情報を情報読取部２３，２４，２５によって読み取る動作が属性情報読取手段の機能として実行される。
【００３９】
　その後、Ｓｔ．１８において読み取られた印刷条件可否属性情報の否認印刷条件とパソコン２から入力された印刷条件とが比較され、否認印刷条件と印刷条件とが少なくとも一つ一致するか否かが判断される（ステップＳｔ．１９）。
【００４０】
　この時、普通紙用の給紙トレイ８の印刷情報可否属性情報によって両面印刷、片面印刷、モノクロ印刷、コピー使用、ＦＡＸ使用及びプリンタ使用が認可印刷条件として指定されており、カラー印刷が否認印刷条件として指定されている。そして、印刷条件によってカラー印刷が指定されているので、Ｓｔ．１９において否認印刷条件と印刷条件とが一つ一致すると判断される。すると、用紙サイズ指定命令によって指定されたＡ４サイズの用紙が積載された給紙トレイが普通紙用の給紙トレイ８以外にもあるか否かが判断される（ステップＳｔ．２０）。こうして、否認印刷条件と印刷条件とが少なくとも一つ一致するときその否認印刷条件を指定する印刷条件可否属性情報を有する給紙トレイ８，９，１０の選択を否認する動作が給紙トレイ選択否認手段の機能として実行される。
【００４１】
　そして、裏紙用の給紙トレイ９に積載された裏紙のサイズもＡ４であるので、Ａ４サイズの用紙が積載された給紙トレイが普通紙用の給紙トレイ８以外にもあると判断され、Ｓｔ．１７において裏紙用の給紙トレイ９が選択され、Ｓｔ．１８において裏紙用の給紙トレイ９の印刷条件保持部１６に記憶されている印刷条件可否属性情報が第二の情報読取部２４によって読み取られる。この時、裏紙用の給紙トレイ９の印刷条件可否属性情報によって両面印刷、カラー印刷及びＦＡＸ使用が否認印刷条件として指定されているので、Ｓｔ．１９において否認印刷条件と印刷条件とが一つ一致すると判断される。
【００４２】
　そして、専用紙用の給紙トレイ１０に積載されたカラー印刷用の専用紙のサイズもＡ４であるので、Ｓｔ．２０においてＡ４サイズの用紙が積載された給紙トレイが普通紙用の給紙トレイ８及び裏紙用の給紙トレイ９以外にもあると判断され、Ｓｔ．１７において専用紙用の給紙トレイ１０が選択され、Ｓｔ．１８において専用紙用の給紙トレイ１０の印刷条件保持部１６に記憶されている印刷条件可否属性情報が第三の情報読取部２５によって読み取られる。この時、専用紙用の給紙トレイ１０の印刷条件可否属性情報によって片面印刷、カラー印刷、コピー使用及びプリンタ使用が認可印刷条件として指定されており、両面印刷、モノクロ印刷及びＦＡＸ使用が否認印刷条件として指定されているので、Ｓｔ．１９において否認印刷条件と印刷条件とが一つも一致しないと判断される。そして、認可印刷条件と印刷条件とが少なくとも一つ一致すると判断される。すると、印刷条件に基づいてプロッタ部６が制御され、Ｓｔ．１７において選択された専用紙用の給紙トレイ１０からカラー印刷用の専用紙が給紙され、カラー印刷が行われてカラー印刷用の専用紙にカラー画像が印刷される（ステップＳｔ．２１）。こうして、印刷条件可否属性の認可印刷条件及び否認印刷条件と印刷条件とを比較する動作が印刷条件比較手段の機能として実行される。また、否認印刷条件と印刷条件とが一つも一致しないと共に認可印刷条件と印刷条件とが少なくとも一つ一致するときその印刷条件を指定する印刷条件可否属性情報を有する給紙トレイ８，９，１０の選択を認可する動作が給紙トレイ選択認可手段の機能として実行される。さらに、印刷条件に基づいてプロッタ部６を制御する動作が印刷制御手段の機能として実行される。
【００４３】
　その後、所望の枚数のカラー印刷用の専用紙に画像が印刷されると印刷動作が終了する。
【００４４】
　Ｓｔ．２０において用紙サイズ指定命令によって指定されたサイズの用紙が積載された給紙トレイが他にないと判断された場合には、印刷条件が給紙トレイ上の用紙の用途に適さないことがパソコン２に報告され、印刷動作が停止する（ステップＳｔ．２２）。
【００４５】
　その後、指定したサイズ及び印刷条件に適した用紙が積載された給紙トレイがないことがパソコン２のディスプレイ３０に表示される。そして、使用者が印刷条件及び用紙のサイズの指定を変更せずに印刷動作の再開を指定すると、印刷条件が変更されていないと判断され（ステップＳｔ．２３）、用紙のサイズの指定が変更されていないと判断され（ステップＳｔ．２４）、普通紙用の給紙トレイ８、裏紙用の給紙トレイ９及び専用紙用の給紙トレイ１０以外に新たな給紙トレイ（図示せず）がセットされているか否かが判断される（ステップＳｔ．２５）。Ｓｔ．２５において新たな給紙トレイがセットされていない場合には、Ｓｔ．２２以降の動作が繰り返し行われる。
【００４６】
　指定したサイズ及び印刷条件に適した用紙が積載された給紙トレイがないことがパソコン２のディスプレイ３０に表示されたとき、使用者が印刷条件を変更し印刷動作の再開を指定すると、Ｓｔ．２３において印刷条件が変更されたと判断され、Ｓｔ．１９以降の動作が繰り返し行われる。
【００４７】
　指定したサイズ及び印刷条件に適した用紙が積載された給紙トレイがないことがパソコン２のディスプレイ３０に表示されたとき、使用者が用紙のサイズの指定を変更し印刷動作の再開を指定すると、Ｓｔ．２３において印刷条件が変更されていないと判断され、Ｓｔ．２４において用紙のサイズの指定が変更されたと判断され、Ｓｔ．１７以降の動作が繰り返し行われる。
【００４８】
　このように、用紙サイズ指定命令と印刷条件とが入力されたとき用紙サイズ指定命令によって指定されたサイズの用紙が積載された給紙トレイ８，９，１０を選択し、選択された給紙トレイ８，９，１０の印刷条件保持部１６に記憶されている印刷条件可否属性情報を読み取り、印刷条件可否属性情報の認可印刷条件及び否認印刷条件と印刷条件とを比較し、否認印刷条件と印刷条件とが少なくとも一つ一致するとき印刷動作を停止することにより、指定したサイズの用紙が積載された給紙トレイ８，９，１０が選択されたとしても、選択された給紙トレイ８，９，１０に積載された用紙の用途に適さない印刷条件が入力された場合には、選択された給紙トレイ８，９，１０から用紙が給紙されることが防止される。そして、否認印刷条件と印刷条件とが一つも一致していないと共に認可印刷条件と印刷条件とが少なくとも一つ一致する場合には、選択された給紙トレイ８，９，１０から用紙が給紙され、印刷条件に基づいてプロッタ部６が制御され、給紙された用紙に画像が印刷される。従って、用紙の用途に適さない印刷動作によって用紙に画像が印刷されることがなくなる。そして、用紙の用途に適した印刷動作によって用紙に画像が印刷されるので、所望の印刷物が得られる。また、用途に合わせて用紙が有効に使用される。
【００４９】
　次に、印刷動作中に一つの給紙トレイ上の用紙がなくなり、他の給紙トレイから用紙を給紙するときの動作を図４に基づいて説明する。印刷開始指定命令と両面印刷を行わせるための印刷条件と普通紙用の給紙トレイ８を指定する給紙トレイ指定命令とがＭＦＰ１に入力されると、前述したように普通紙用の給紙トレイ８が第一の給紙トレイとして選択される（ステップＳｔ．２６）。こうして、所望の給紙トレイ８，９，１０を選択する動作が給紙トレイ選択手段の機能として実行される。
【００５０】
　そして、印刷条件に基づいてプロッタ部６が制御され、普通紙用の給紙トレイ８から未使用の普通紙が給紙され、両面印刷が行われて未使用の普通紙の両面に画像が印刷される（ステップＳｔ．２７）。こうして、印刷条件に基づいてプロッタ部６を制御する動作が印刷制御手段の機能として実行される。
【００５１】
　その後、所望の枚数の未使用の普通紙に画像が印刷されたか否かが判断される（ステップＳｔ．２８）。この時、所望の枚数の未使用の普通紙に画像が印刷されたと判断されると印刷動作が終了する。
【００５２】
　Ｓｔ．２８において所望の枚数の未使用の普通紙に画像が印刷されていないと判断されると、普通紙用の給紙トレイ８に未使用の普通紙が積載されているか否かが判断される（ステップＳｔ．２９）。この時、普通紙用の給紙トレイ８に未使用の普通紙が積載されていれば、Ｓｔ．２７以降の動作が繰り返し行われる。
【００５３】
　Ｓｔ．２９において普通紙用の給紙トレイ８に未使用の普通紙が積載されていないと判断されると、普通紙用の給紙トレイ８に積載されていた未使用の普通紙のサイズと等しいサイズの用紙が積載された給紙トレイが他にあるか否かが判断される（ステップＳｔ．３０）。この時、普通紙用の給紙トレイ８に積載されていた未使用の普通紙のサイズと等しいサイズの用紙が積載された給紙トレイがないと判断されると、所望のサイズの用紙が積載された給紙トレイがないことがパソコン２に報告される（ステップＳｔ．３１）その後、所望のサイズの用紙が積載された給紙トレイがないことがパソコン２のディスプレイ２９に表示され、印刷動作が終了する。
【００５４】
　Ｓｔ．３０において、普通紙用の給紙トレイ８に積載されていた未使用の普通紙のサイズはＡ４であり、他の二つの給紙トレイ９，１０に積載された用紙のサイズもＡ４であるので、普通紙用の給紙トレイ８に積載された給紙トレイ８に積載されていた未使用の普通紙のサイズと等しいサイズの用紙が積載された給紙トレイがあると判断される。すると、まず専用紙用の給紙トレイ１０よりも上方に配置されている裏紙用の給紙トレイ９が第二の給紙トレイとして選択される（ステップＳｔ．３２）。こうして、第一の給紙トレイ８，９，１０に積載されていた未使用の普通紙のサイズと等しいサイズの用紙が積載された第二の給紙トレイ８，９，１０を選択する動作が給紙トレイ再選択手段の機能として実行される。
【００５５】
　そして、選択された裏紙用の給紙トレイ９の印刷条件保持部１６に記憶されている印刷条件可否属性情報が第二の情報読取部２４によって読み取られる（ステップＳｔ．３３）。こうして、第二の給紙トレイ８，９，１０の印刷条件保持部１６に記憶されている印刷条件可否属性情報を情報読取部２３，２４，２５によって読み取る動作が属性情報読取手段の機能として実行される。
【００５６】
　その後、Ｓｔ．３３において読み取られた印刷条件可否属性情報の否認印刷条件と普通紙用の給紙トレイ８上の未使用の普通紙がなくなる前に行われていた印刷動作の印刷条件とが比較され、否認印刷条件と印刷条件とが少なくとも一つ一致するか否なかが判断される（ステップＳｔ．３４）。
【００５７】
　この時、否認印刷条件と印刷条件とが一つも一致していないと判断され、認可印刷条件と印刷条件とが少なくとも一つ一致すると判断されると、印刷条件に基づいてプロッタ部６が制御され、Ｓｔ．３２において選択された給紙トレイから用紙が給紙され、両面印刷が行われて用紙の両面に画像が印刷される（ステップＳｔ．３５）。こうして、第二の給紙トレイ８，９，１０の印刷条件可否属性情報の否認印刷条件と第一の給紙トレイ８，９，１０上の用紙がなくなる前に行われていた印刷条件とを比較する動作が印刷条件比較手段の機能として実行される。また、否認印刷条件と印刷条件とが一つも一致していないと共に認可印刷条件と印刷条件とが少なくとも一つ一致するときそれらの認可印刷条件及び否認印刷条件を指定する印刷条件可否属性情報を有する給紙トレイ８，９，１０の選択を否認する動作が給紙トレイ再選択否認手段の機能として実行される。
【００５８】
　Ｓｔ．３４において、裏紙用の給紙トレイ９の印刷条件可否属性情報によって片面印刷、モノクロ印刷、コピー使用及びプリンタ使用が認可印刷条件として指定されており、両面印刷、カラー印刷及びＦＡＸ使用が否認印刷条件として指定されている。そして、印刷条件によって両面印刷が指定されているので、否認印刷条件と印刷条件とが一つ一致すると判断される。すると、普通紙用の給紙トレイ８に積載されていた未使用の普通紙のサイズと等しいサイズの用紙が積載された他の給紙トレイがあるか否かが判断される（ステップＳｔ．３６）。こうして、否認印刷条件と印刷条件とが少なくとも一つ一致するときその否認印刷条件を指定する印刷条件可否属性情報を有する給紙トレイ８，９，１０の選択を否認する動作が給紙トレイ再選択否認手段の機能として実行される。
【００５９】
　そして、専用紙用の給紙トレイ１０に積載されたカラー印刷用の専用紙のサイズもＡ４であるので、Ｓｔ．３２において専用紙用の給紙トレイ１０が選択される。Ｓｔ．３３において専用紙用の給紙トレイ上９の印刷条件保持部１６に記憶されている印刷条件可否属性情報が第三の情報読取部２５によって読み取られる。この時、専用紙用の給紙トレイ１０の印刷条件可否属性情報によって片面印刷、カラー印刷、コピー使用及びプリンタ使用が否認印刷条件として指定されており、両面印刷、モノクロ印刷及びＦＡＸ使用が否認印刷条件として指定されているので、Ｓｔ．３４において否認印刷条件と印刷条件とが一つ一致すると判断される。そして、Ｓｔ．３６において普通紙用の給紙トレイ８に積載されていた未使用の普通紙のサイズと等しいサイズの用紙が積載された他の給紙トレイがない
と判断されると、普通紙用の給紙トレイ８に積載されていた未使用の普通紙のサイズ及び印刷条件に適した用紙が積載された給紙トレイがないことがパソコン２に報告される（ステップＳｔ．３７）。
【００６０】
　そして、普通紙用の給紙トレイ８に積載されていた未使用の用紙のサイズ及び印刷条件に適した用紙が積載された給紙トレイがないことがパソコン２のディスプレイに表示され、印刷動作が終了する。
【００６１】
　このように、第一の給紙トレイ８，９，１０を選択し、選択された第一の給紙トレイ８，９，１０から用紙を給紙し、給紙された用紙に画像印刷しているとき、第一の給紙トレイ８，９，１０上の用紙がなくなると、その第一の給紙トレイ８，９，１０に積載されていた用紙のサイズと等しいサイズの用紙が積載された第二給紙トレイ８，９，１０を選択し、選択された第二の給紙トレイ８，９，１０の印刷条件保持部１６に記憶されている印刷条件可否属性情報を読み取り、読み取られた印刷条件可否属性情報の否認印刷条件と第一の給紙トレイ８，９，１０の用紙がなくなる前に行われていた印刷動作の印刷条件を比較し、否認印刷条件と印刷条件とが少なくとも一つ一致する場合には印刷動作を停止することにより、第一の給紙トレイ８，９，１０に積載されていた用紙のサイズと等しいサイズの用紙が積載された第二の給紙トレイ８，９，１０が選択されたとしても、行われていた印刷動作の印刷条件が第二の給紙トレイ８，９，１０上の用紙の用途に適さない場合には、選択された第二の給紙トレイ８，９，１０から用紙が給紙されることが防止される。そして、否認印刷条件と印刷条件とが一つも一致していないと共に認可印刷条件と印刷条件とが少なくとも一つ一致する場合には、選択された給紙トレイ８，９，１０から用紙が給紙され、印刷条件に基づいてプロッタ部６が制御され、給紙された用紙に画像が印刷される。従って、行われていた印刷動作の印刷条件に適さない用紙が給紙され、用紙の用途に適さない印刷動作によって用紙に画像が印刷されることがなくなる。そして、用紙の用途に適した印刷動作によって用紙に画像が印刷されるので、所望の印刷物が得られる。また、用途に合わせて用紙が有効に使用される。
【００６２】
　次に、使用者ＩＤが登録され使用者制限が設定されたときの動作を図５に基づいて説明する。専用紙用の給紙トレイ１０の印刷条件保持部１６に使用者ＩＤが登録され使用者制限が設定された後、印刷開始命令とカラー印刷を行わせるための印刷条件と専用紙用の給紙トレイ１０を指定する給紙トレイ指定命令とが入力されると、前述したように専用紙用の給紙トレイ１０が選択される（ステップＳｔ．３８）。こうして、印刷開始命令が入力されたとき給紙トレイ８，９，１０を選択する動作が給紙トレイ選択手段の機能として実行される。
【００６３】
　そして、選択された専用紙用の給紙トレイ１０の印刷条件保持部１６に保持された印刷条件可否属性情報が第三の情報読取部２５によって読み取られる（ステップＳｔ．３９）。こうして、選択された給紙トレイ８，９，１０の印刷条件保持部１６に記憶されている印刷条件可否属性情報を情報読取部２３，２４，２５によって読み取る動作が属性情報読取手段の機能として実行される。
【００６４】
　Ｓｔ．３９において読み取られた印刷情報可否属性情報に基づいて使用者制限があるか否かを判断する（ステップＳｔ．４０）。この時、使用者ＩＤが登録されているので、使用者制限があると判断される。すると、使用者制限があることがパソコン２に報告され印刷動作が停止する（ステップＳｔ．４１）。こうして、使用者制限がある給紙トレイ８，９，１０の選択を否認する動作が給紙トレイ選択否認手段の機能として実行される。
【００６５】
　その後、使用者制限があることがパソコン２のディスプレイ２７に表示される。そして、パソコン２において利用制限解除命令である使用者ＩＤを使用者が入力すると、入力された使用者ＩＤがパソコン２からＭＦＰ１に入力される。ＭＦＰ１では、入力された使用者ＩＤと専用紙用の給紙トレイ１０の印刷条件可否属性情報に登録されている使用者ＩＤとを比較し、入力された使用者ＩＤと登録されている使用者ＩＤとが一致するか否かが判断される（ステップＳｔ．４２）。この時、入力された使用者ＩＤと登録されている使用者ＩＤとが一致していないと判断されると、Ｓｔ．４１以降の動作が繰り返し行われる。
【００６６】
　そして、入力された使用者ＩＤと登録されている使用者ＩＤとが一致すると判断されると、Ｓｔ．３９において読み取られた印刷情報可否属性情報の否認印刷条件と印刷条件とが比較され、否認印刷条件と印刷条件とが少なくとも一つ一致するか否かが判断される（ステップＳｔ．４３）。この時、専用紙用の給紙トレイ１０の印刷条件可否属性情報によって片面印刷、カラー印刷、コピー使用及びプリンタ使用が認可印刷条件として指定されており、両面印刷、モノクロ印刷及びＦＡＸ使用が否認印刷条件として指定されている。そして、印刷条件によってカラー印刷が指定されているので、否認印刷条件と印刷条件とが一つも一致していないと判断され、印刷条件に基づいてプロッタ部６が制御され、Ｓｔ．３８において選択された専用紙用の給紙トレイ１０からカラー印刷用の専用紙が給紙され、カラー印刷が行われてカラー印刷用の専用紙にカラー画像が印刷される（ステップＳｔ．４４）。こうして、入力された使用者ＩＤと登録されていた使用者ＩＤとが一致するとき使用者制限を解除し、印刷動作を再開する動作が利用制限解除手段の機能として実行される。
【００６７】
　その後、所望の枚数のカラー印刷用の専用紙に画像が印刷されると印刷動作が終了する。
【００６８】
　Ｓｔ．４３において否認印刷条件と印刷条件とが少なくとも一つ一致すると判断されると、専用紙用の給紙トレイ１０に積載されたカラー印刷用の普通紙の用途に印刷条件が適さないことがパソコン２に報告され、印刷動作が停止する（ステップＳｔ．４５）。
【００６９】
　その後、印刷条件又は給紙トレイの指定が間違っていることがパソコン２のディスプレイ２７に表示される。そして、使用者が印刷条件を変更し印刷動作の再開を指定すると、印刷条件が変更されたと判断され（ステップＳｔ．４６）、Ｓｔ．４３以降の動作が繰り返し行われる。
【００７０】
　印刷条件又は給紙トレイの指定が間違っていることがパソコン２のディスプレイ２７に表示されたとき、使用者が給紙トレイの指定を変更し印刷動作の再開を指定すると、Ｓｔ．４６において印刷条件が変更されていないと判断され、給紙トレイの指定が変更されたと判断され（ステップＳｔ．４７）、Ｓｔ．３８以降の動作が繰り返し行われる。
【００７１】
　印刷条件又は給紙トレイの指定が間違っていることがパソコン２のディスプレイ２７に表示されたとき、使用者が印刷条件及び給紙トレイの指定を変更せずに印刷動作の再開を指定すると、Ｓｔ．４６において印刷条件が変更されていないと判断され、Ｓｔ．４７において給紙トレイの指定が変更されていないと判断され、Ｓｔ．４５以降の動作が繰り返し行われる。
【００７２】
　このように、印刷開始命令が入力されたとき給紙トレイ８，９，１０を選択し、選択された給紙トレイ８，９，１０の印刷条件保持部１６に記憶されている印刷条件可否属性情報を読み取り、読み取られた印刷情報可否属性情報に基づいて使用者制限があるか否かを判断し、使用者制限がある場合には、印刷動作を停止し、入力された使用者ＩＤと印刷情報可否属性に登録されている使用者ＩＤとが一致するとき印刷動作を再開することにより、給紙トレイ８，９，１０が選択されたとしても、使用者制限がある場合には、選択された給紙トレイ８，９，１０から用紙が給紙されることがなくなるので、給紙トレイ８，９，１０から用紙が間違って給紙されることがなくなる。また、登録されている使用者ＩＤと等しい使用者ＩＤを入力することにより、選択された給紙トレイ８，９，１０から用紙
が給紙され、用紙に画像が印刷される。従って、間違って使用されては困る特別な用紙の管理が容易になる。
【００７３】
　なお、コピー動作又はＦＡＸ動作が行われるときの動作は、プリンタ動作が行われるときの動作と同様である。そこで、コピー動作又はＦＡＸ動作が行われるときの動作についての説明を省略する。
【００７４】
　また、各給紙トレイ８，９，１０の印刷条件可否属性を設定する方法は、ＭＦＰ１において属性情報設定部２６によって設定する方法でもよいし、パソコン２において設定する方法でもよい。
【００７５】
　さらに、印刷条件保持部としては、ＥＥＰＲＯＭよりなる記憶装置に限定される訳ではなく、印刷条件可否属性情報に対応する切欠きが形成された板状の金属板や印刷条件可否属性情報に応じて配置されたピン等を各給紙トレイ８，９，１０に設けた機械的な構造のものでもよい。また、ＭＦＰ１内に印刷条件保持部である記憶装置を設け、記憶装置に各給紙トレイ８，９，１０の印刷条件可否属性情報を記憶しておくようにしてもよい。
【図面の簡単な説明】
【００７６】
【図１】本発明の実施の一形態の画像形成装置において給紙トレイ指定命令が入力されたときの動作を示すフローチャートである。
【図２】給紙トレイ指定命令と印刷条件とが入力されたときの動作を示すフローチャートである。
【図３】用紙サイズ指定命令と印刷条件とが入力されたときの動作を示すフローチャートである。
【図４】印刷動作中に第一の給紙トレイ上の用紙がなくなったとき第二の給紙トレイを選択する動作を示すフローチャートである。
【図５】利用制限があるときの動作を示すフローチャートである。
【図６】画像形成装置を示す正面図である。
【図７】電気的構成を示すブロック図である。
【図８】印刷条件可否属性情報の一例を示す説明図である。
【符号の説明】
【００７７】
　６　　印刷部
　８，９，１０　給紙トレイ
　１６　　属性情報保持部
【図１】
2004074808.tif 000003
【図２】
2004074808.tif 000004
【図３】
2004074808.tif 000005
【図４】
2004074808.tif 000006
【図５】
2004074808.tif 000007
【図６】
2004074808.tif 000008
【図７】
2004074808.tif 000009
【図８】
2004074808.tif 000010